【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
患者に対する画像誘導処置に使用可能なマーカ装置であって、該マーカ装置はＥＭセンサーおよびフレームアセンブリを備え、前記フレームアセンブリは患者の皮膚に取り外し可能かつ再現可能に固定されるように構成されており、前記ＥＭセンサーは前記フレームアセンブリに取り外し可能に固定されるように構成されたハウジングを備え、撮像基準点を確立するために前記マーカ装置は容易に撮像されるように構成された複数の要素をさらに備えるマーカ装置。
【請求項２】
前記複数の要素は非同一平面構成で配置されている請求項１に記載のマーカ装置。
【請求項３】
前記複数の要素の各々は前記フレームアセンブリ上に配置される請求項２に記載のマーカ装置。
【請求項４】
前記フレームアセンブリは、ベース部と、該ベース部から上方へ突出した複数の脚とを備え、前記脚は前記ベース部の上方の共通点において互いに連結され、前記複数の要素の各々は前記フレームアセンブリの脚のうち対応する１つに隣接して配置され、前記複数の要素のうちの１つは前記共通点に配置される請求項３に記載のマーカ装置。
【請求項５】
前記マーカ装置は接着剤によって患者の皮膚に取り外し可能に固定されるように構成される請求項１に記載のマーカ装置。
【請求項６】
前記フレームアセンブリを患者の皮膚に取り外し可能に固定するために、前記フレームアセンブリに連結されるように構成された複数の接着部材をさらに備える請求項５に記載のマーカ装置。
【請求項７】
前記接着部材の各々は該接着部材内に開口部を備え、前記フレームアセンブリは複数の突起を備え、前記接着部材を前記フレームアセンブリに取り外し可能に連結するために、前記突起の各々は前記接着部材のうちの対応する１つの前記開口部内に取り外し可能に配置されるように構成されている請求項６に記載のマーカ装置。
【請求項８】
前記フレームアセンブリは、ベース部と、該ベース部から上方へ突出した複数の脚とを備え、前記脚は前記ベース部の上方に配置された共通点において互いに連結され、前記フレームアセンブリの前記突起の各々は、前記脚のうちの対応する１つに隣接した前記ベース部に位置する請求項７に記載のマーカ装置。
【請求項９】
前記フレームアセンブリは、前記ＥＭセンサーのハウジングを取り外し可能に受け入れるためのソケットを備える請求項１に記載のマーカ装置。
【請求項１０】
前記ＥＭセンサーのハウジングは前記ソケットにスナップ嵌合されるように構成されている請求項９に記載のマーカ装置。
【請求項１１】
前記ＥＭセンサーのハウジングは、前記ソケットにスナップ嵌合するために、前記フレームアセンブリに枢動可能に連結されるように構成されている請求項１０に記載のマーカ装置。
【請求項１２】
前記ソケットおよび前記ＥＭセンサーのハウジングのうちの一方がピン部材を備え、かつ前記ソケットおよび前記ＥＭセンサーのハウジングのうちの他方は前記ピン部材に相応して形成された凹部を備え、前記ピン部材は、前記ＥＭセンサーのハウジングを前記ソケット内にスナップ嵌合させるために、前記ＥＭセンサーのハウジングが前記ソケットに関して枢動できるように前記凹部に受け入れられるように構成されている請求項１１に記載のマーカ装置。
【請求項１３】
前記ＥＭセンサーのハウジングは前記凹部を備え、かつ前記ソケットは前記ピン部材を備える請求項１２に記載のマーカ装置。
【請求項１４】
前記フレームアセンブリは、ベース部と、該ベース部から上方へ突出した複数の脚とを備え、前記脚は前記ベース部の上方の共通点において互いに連結され、前記ソケットは前記ベース部に位置する請求項１３に記載のマーカ装置。
【請求項１５】
前記フレームアセンブリは該フレームアセンブリ内に複数のアパチャを備え、前記アパチャの各々は、前記アパチャを介して、患者の皮膚に目印をマーキング可能にするアクセスポイントを提供するように構成されている請求項１に記載のマーカ装置。
【請求項１６】
前記フレームアセンブリは、ベース部と、該ベース部から上方へ突出した複数の脚とを備え、前記脚は前記ベース部の上方の共通点において互いに連結され、前記複数のアパチャは互いに関して非対称に配置されており、前記複数のアパチャの各々は、前記脚のうちの対応する１つに隣接した前記ベース部に位置する請求項１５に記載のマーカ装置。
【請求項１７】
患者に対する画像誘導処置においてマーカ装置と共に使用可能な取り付け部材であって、前記マーカ装置はＥＭセンサーおよびフレームアセンブリを備え、前記フレームアセンブリは複数の突起を有するベース部を備え、前記取り付け部材は、接着性底面と、マーカ装置の複数の突起のうちの対応する１つを受け入れるための開口部とを有し、前記取り付け部材は、前記突起のうちの対応する１つを前記取り付け部材の前記開口部内に配置することによって、マーカ装置のフレームアセンブリに取り外し可能に連結され、さらに前記取り付け部材を患者の皮膚に接着して固定することにより、前記マーカ装置は患者に取り外し可能に固定される取り付け部材。
【請求項１８】
前記取り付け部材は、円盤状部材を備える請求項１７に記載の取り付け部材。
【請求項１９】
患者に対する画像誘導処置においてＥＭセンサーおよび複数の取り付け部材とともに使用可能なフレームアセンブリであって、前記複数の取り付け部材の各々は接着性底面および開口部を有し、前記フレームアセンブリはソケットを有するベース部を備え、前記ソケットは該ソケットの内部にＥＭセンサーを取り外し可能に取り付けるように構成されており、前記ベース部は複数の突起を有しており、前記突起の各々は複数の取り付け部材のうちの対応する１つの開口部内に配置されるように構成されており、その結果、前記フレームアセンブリは、患者の皮膚に対して前記複数の取り付け部材を接着して固定することによって、前記患者に取り外し可能に固定されるフレームアセンブリ。
【請求項２０】
前記フレームアセンブリは前記ベース部から上方へ突出した複数の脚を備え、前記脚は前記ベース部の上方の共通点において互いに連結され、前記フレームアセンブリの前記突起の各々は、前記脚のうちの対応する１つに隣接した前記ベース部に位置する請求項１９に記載のフレームアセンブリ。
【請求項２１】
前記ＥＭセンサーは、前記ソケット内にスナップ嵌合されるように構成されたハウジングを備える請求項１９に記載のフレームアセンブリ。
【請求項２２】
前記ＥＭセンサーのハウジングは、前記ソケットにスナップ嵌合するために、前記フレームアセンブリに枢動可能に連結されるように構成されている請求項２１に記載のフレームアセンブリ。
【請求項２３】
前記ソケットおよび前記ＥＭセンサーのハウジングのうちの一方がピン部材を備え、かつ前記ソケットおよび前記ＥＭセンサーのハウジングのうちの他方は前記ピン部材に相応して形成された凹部を備え、前記ピン部材は、前記ＥＭセンサーのハウジングを前記ソケット内にスナップ嵌合させるために、前記ＥＭセンサーのハウジングが前記ソケットに関して枢動できるように前記凹部に受け入れるように構成されている請求項２２に記載のフレームアセンブリ。
【請求項２４】
前記ＥＭセンサーのハウジングは凹部を備え、前記ソケットは前記ピン部材を備える請求項２３に記載のフレームアセンブリ。
【請求項２５】
前記ソケットは一対の直立アームを備え、前記ＥＭセンサーのハウジングが前記ソケット内にスナップ嵌合されるときに、前記ＥＭセンサーのハウジングは前記直立アームの間に位置する請求項２４に記載のフレームアセンブリ。
【請求項２６】
撮像基準点を確立するために、容易に撮像されるように構成された複数の要素をさらに備える請求項２０に記載のフレームアセンブリ。
【請求項２７】
前記複数の要素は非同一平面構成に配置されている請求項２６に記載のフレームアセンブリ。
【請求項２８】
前記複数の要素の各々は前記フレームアセンブリの脚のうちの対応する１つに隣接して位置し、前記複数の要素のうちの１つは前記共通点に位置する請求項２７に記載のフレームアセンブリ。
【請求項２９】
複数のアパチャをさらに備え、前記アパチャの各々は、前記アパチャを介して、患者の皮膚に目印をマーキング可能にするアクセスポイントを提供するように構成されている請求項１９に記載のフレームアセンブリ。
【請求項３０】
前記フレームアセンブリは前記ベース部から上方へ突出した複数の脚を備え、前記脚は前記ベース部の上方の共通点において互いに連結され、前記複数のアパチャは互いに関して非対称に配置されており、前記複数のアパチャの各々は前記脚のうちの対応する１つに隣接した前記ベース部に位置する請求項２９に記載のフレームアセンブリ。
【請求項３１】
患者に対する画像誘導処置においてＥＭセンサーおよび複数の取り付け部材とともに使用可能なフレームアセンブリであって、前記フレームアセンブリは患者の皮膚に取り外し可能かつ再現可能に固定されるように構成されており、かつソケットを有するベース部を備え、前記ソケットは該ソケットの内部に前記ＥＭセンサーを取り外し可能に取り付けるように構成されているフレームアセンブリ。
【請求項３２】
ＥＭセンサーは、前記ソケット内にスナップ嵌合されるように構成されたハウジングを備える請求項３１に記載のフレームアセンブリ。
【請求項３３】
前記ＥＭセンサーのハウジングは、前記ソケットにスナップ嵌合するために、前記フレームアセンブリに枢動可能に連結されるように構成されている請求項３２に記載のフレームアセンブリ。
【請求項３４】
前記ソケットおよび前記ＥＭセンサーのハウジングのうちの一方がピン部材を備え、かつ前記ソケットおよび前記ＥＭセンサーのハウジングのうちの他方は前記ピン部材に相応して形成された凹部を備え、前記ピン部材は、前記ＥＭセンサーのハウジングを前記ソケット内にスナップ嵌合させるために、前記ＥＭセンサーのハウジングが前記ソケットに関して枢動できるように前記凹部に受け入れられるように構成されている請求項３３に記載のフレームアセンブリ。
【請求項３５】
前記ＥＭセンサーのハウジングは凹部を備え、前記ソケットは前記ピン部材を備える請求項３４に記載のフレームアセンブリ。
【請求項３６】
前記ソケットは一対の直立アームを備え、前記ＥＭセンサーのハウジングが前記ソケット内にスナップ嵌合されるときに、前記ＥＭセンサーのハウジングは前記直立アームの間に配置される請求項３３に記載のフレームアセンブリ。
【請求項３７】
撮像基準点を確立するために、容易に撮像されるように構成された複数の要素をさらに備える請求項３１に記載のフレームアセンブリ。
【請求項３８】
前記複数の要素は非同一平面構成に配置されている請求項３７に記載のフレームアセンブリ。
【請求項３９】
前記フレームアセンブリは前記ベース部から上方へ突出した複数の脚を備え、前記脚は前記ベース部の上方の共通点において互いに連結され、前記複数の要素の各々は前記フレームアセンブリの脚のうちの対応する１つに隣接して位置し、前記複数の要素のうちの１つは前記共通点に位置する請求項３８に記載のフレームアセンブリ。
【請求項４０】
複数のアパチャをさらに備え、前記アパチャの各々は、前記アパチャを介して、患者の皮膚に目印をマーキング可能にするアクセスポイントを提供するように構成されている請求項３１に記載のフレームアセンブリ。
【請求項４１】
前記フレームアセンブリは前記ベース部から上方へ突出した複数の脚を備え、前記脚は前記ベース部の上方の共通点において互いに連結され、前記複数のアパチャは互いに関して非対称に配置されており、前記複数のアパチャの各々は前記脚のうちの対応する１つに隣接した前記ベース部に位置する請求項４０に記載のフレームアセンブリ。
【手続補正２】
【補正対象書類名】明細書
【補正対象項目名】発明の名称
【補正方法】変更
【補正の内容】
【発明の名称】マーカ装置、取り付け部材、フレームアセンブリ